(57)【要約】【課題】相違する形質等を有する液体化粧料塗布ブラシの塗布体を適切に選択し、睫毛にマスカラを簡易且つ確実に、しかも迅速に塗布できるようにする。【解決手段】キャップ７の軸体１２をなす短軸部１３と長軸部１４に各々塗布体１０ｂ、１１ｂの全長が相違する液体化粧料塗布ブラシ１０、１１を保持し、短軸部１３に保持される該ブラシ１０の塗布体１０ｂにおいて長軸部１４と干渉する塗布体部分に平面部１０ｃを形成し、更に両塗布体１０ｂ、１１ｂにおいても平面部１０ｃ、１１ｃを形成するので、塗布体の全長でブラシを見分けて選択でき、さらに両塗布体が塗布体同士又は長軸部と干渉しないので簡易且つ確実に出し入れが可能となり、しかも迅速にマスカラを塗布することができる。【選択図】図２
2010035854.tif 000002
【特許請求の範囲】
【請求項１】
液体化粧料を貯留する塗布容器本体と、該塗布容器本体の開口部に対して着脱自在となり、且つ軸体を介して複数の液体化粧料塗布ブラシを保持するキャップから構成され、
該軸体を長軸部と短軸部とから形成し、
該軸体の長軸部及び短軸部に保持される液体化粧料塗布ブラシは、一端を連続する二本の金属線を捻回することで形成される金属芯線と、該金属芯線と同時に形成される繊維束よりなる塗布体とからなるものであって、且つ両塗布体の全長は、塗布体先端が一致するように不等長とし、
軸体の短軸部に保持される液体化粧料塗布ブラシの塗布体のうち、少なくとも長軸部と干渉する塗布体部分において該長軸部と密接するように平面部又は該長軸部の横断面形状の一部と合致する横断面形状を有する係合凹溝を金属芯線に沿って形成することを特徴とする液体化粧料塗布容器。
【請求項２】
上記軸体の長軸部及び短軸部に保持される液体化粧料塗布ブラシの両塗布体において、互いに密接するように平面部、又は長軸部に保持される液体化粧料塗布ブラシの塗布体の横断面形状の一部と合致する横断面形状を有する係合凹溝を短軸部に保持される液体化粧料塗布ブラシの塗布体において金属芯線に沿って形成することを特徴とする請求項１記載の液体化粧料塗布容器。
【請求項３】
上記軸体を形成する長軸部及び短軸部に保持される液体化粧料塗布ブラシの塗布体において、該塗布体を形成する繊維束をなす繊維の繊維径、繊維種類、毛量、色彩、カット形状又は金属線径等（以下、「形質等」という。）のうち少なくとも一つが互いに相違することを特徴とする請求項１又は２記載の液体化粧料塗布容器。
【発明の詳細な説明】
【技術分野】
【０００１】
本願発明は、例えばマスカラ等の液体化粧料を塗布する液体化粧料塗布ブラシを具える液体化粧料塗布容器に関するものである。
【背景技術】
【０００２】
例えばマスカラ等の液体化粧料を塗布する際に使用する液体化粧料塗布ブラシは、様々な形質等を有する睫毛に対して、又はピンポイント的に塗布する等の目的に応じて複数の液体化粧料塗布ブラシを具えるものが理想的である。
【０００３】
そのため、マスカラ剤がそれぞれ収容されている第１マスカラ剤容器及び第２マスカラ剤容器を密閉する第１キャップ部材及び第２キャップ部材において、各々目的にあわせて形質等が相違する第１塗布ブラシ及び第２塗布ブラシを有してなるものがある。
【特許文献１】特許第３６０６１８２号公報
【０００４】
しかしながら、上記マスカラ化粧用具では、二本の第１塗布ブラシ及び第２塗布ブラシに対応して各々第１マスカラ剤容器及び第１キャップ部材、第２マスカラ剤容器及び第２キャップ部材を必要とするものである。従って、部品点数は１本の液体化粧料塗布ブラシを具える液体化粧料塗布容器を２つ用意するのと同等であるため、製造コストの上昇を招来する恐れがある。
【０００５】
更に上記マスカラ化粧用具は、第１塗布ブラシと第２塗布ブラシとを収容する第１マスカラ剤容器及び第１キャップ部材と第２マスカラ剤容器及び第２キャップ部とは互いに対向するように直列状に配置されるので、マスカラ化粧用具の全長は著しく長くなって嵩張るため、携帯性に欠けるものとなる。
【０００６】
また、第１塗布ブラシ及び第２塗布ブラシを反復しながら使用する場合には、一方の塗布ブラシの使用に際しては、収容するマスカラの漏出を防止するため他方の塗布ブラシはマスカラ剤容器内に収容しなければならない。その結果、使用者にとって非常に煩雑であり、睫毛に対してマスカラを迅速に塗布することができないものである。
【０００７】
なお、液体化粧料塗布容器を構成するキャップにおいて一本の軸体に二本の同形状の液体化粧料塗布ブラシを保持するものも提案されている。
ところが、二本の液体化粧料塗布ブラシの形質等が相違していても、マスカラ等の液体化粧料が表面に付着していたのでは両者を瞬時に見分けることはできず、必要に応じて、迅速且つ確実にマスカラを塗布することができない。さらに一本の軸体に対して二本の液体化粧料塗布ブラシを保持させるには、該液体化粧料塗布ブラシの塗布体の繊維束を形成する繊維の方向が重要であり、液体化粧料塗布ブラシ同士の重なりは径方向からで有れば容易であるが、軸方向からでは繊維が絡んだり又は反発し易いため、二本の液体化粧料塗布ブラシが互いに湾曲してしまうおそれがあり、製造作業時における作業効率が低下するものである。その上、二本の液体化粧料塗布ブラシの塗布体が湾曲してしまうと、軸体に保持される二本の液体化粧料塗布ブラシの塗布体での外径は拡大してしまい、塗布容器本体に対する液体化粧料塗布ブラシの出し入れが非常に困難になる恐れがある。
【発明の開示】
【発明が解決しようとする課題】
【０００８】
そこで、発明が解決しようとする問題点は、マスカラ等の液体化粧料を貯留する液体化粧料塗布容器を構成するキャップに一本の軸体を介して保持される液体化粧料塗布ブラシにおいて、互いに相違する形質等を有する繊維束より形成される塗布体を迅速且つ確実に見分け、且つ塗布容器本体より液体化粧料塗布ブラシを出し入れできる様にし、様々な形質等を有する睫毛に対してマスカラ等の液体化粧料を簡易且つ正確に塗布できるようにする。
【課題を解決するための手段】
【０００９】
第１の特徴として、
液体化粧料を貯留する塗布容器本体と、該塗布容器本体の開口部に対して着脱自在となり、且つ軸体を介して複数の液体化粧料塗布ブラシを保持するキャップから構成され、
該軸体を長軸部と短軸部とから形成し、
該軸体の長軸部及び短軸部に保持される液体化粧料塗布ブラシは、一端を連続する二本の金属線を捻回することで形成される金属芯線と、該金属芯線と同時に形成される繊維束よりなる塗布体とからなるものであって、且つ両塗布体の全長は、塗布体先端が一致するように不等長とし、
軸体の短軸部に保持される液体化粧料塗布ブラシの塗布体のうち、少なくとも長軸部と干渉する塗布体部分において該長軸部と密接するように平面部又は該長軸部の横断面形状の一部と合致する横断面形状を有する係合凹溝を金属芯線に沿って形成するものである。
【００１０】
そのため、まず軸体に保持される両液体化粧料塗布ブラシは各々の塗布体の全長により明確に見分けることができるので、使用者は睫毛の状態又は塗布目的に合わせて適切な塗布体を迅速且つ確実に選択することができる。
【００１１】
そして、軸体の短軸部に保持される液体化粧料塗布ブラシの塗布体は平面部又は係合凹溝により密接又は少なくとも干渉する長軸部の一部を内包するので、該塗布体と長軸部との反発は回避して湾曲することはないため、二本の軸体に保持される液体化粧料塗布ブラシは並列に保持される。その結果、二本の液体化粧料塗布ブラシの塗布体での外径は小さくなって、塗布容器本体に対する出し入れを容易に行うことができる。
【００１２】
そして、第２の特徴として、上記第１の特徴を踏まえて、
上記軸体の長軸部及び短軸部に保持される液体化粧料塗布ブラシの両塗布体において、互いに密接するように平面部、又は長軸部に保持される液体化粧料塗布ブラシの塗布体の横断面形状の一部と合致する横断面形状を有する係合凹溝を短軸部に保持される液体化粧料塗布ブラシの塗布体において金属芯線に沿って形成するものである。
【００１３】
そのため、長軸部の保持される液体化粧料塗布ブラシの塗布体の一部は、短軸部に保持される液体化粧料塗布ブラシの塗布体の係合凹溝に対して繊維束が絡んだり又は反発することなく合致して、互いに密接に一体となる。その結果、二本の液体化粧料塗布ブラシの塗布体での外径はより確実に小さくなるので、塗布容器本体に対する出し入れを容易に行うことができ、製造工程においても円滑に軸体に対して両液体化粧料塗布ブラシを挿嵌、固定させることができる。
【００１４】
更に、第３の特徴として、上記第１又は第２の特徴を踏まえて、
上記軸体を形成する長軸部及び短軸部に保持される液体化粧料塗布ブラシの塗布体において、該塗布体を形成する繊維束をなす繊維の形質等のうち少なくとも一つが互いに相違するものである。
【００１５】
そのため、液体化粧料塗布ブラシの塗布体はあらゆる睫毛に対応できるようになり、該使用者は様々な形質等を有する睫毛や塗布する目的に応じて適切な液体化粧料塗布ブラシを選択し、マスカラ等の液体化粧料を簡易且つ正確に塗布することができるようになる。
【発明の効果】
【００１６】
本願発明は、液体化粧料塗布容器を構成するキャップにおいて軸体に保持される複数の液体化粧料塗布ブラシを簡易且つ確実に区別することができるとともに、液体化粧料塗布ブラシの塗布容器本体に対する出し入れを容易に行うことができるため、使用者はマスカラ等の液体化粧料を簡易且つ確実に、しかも迅速に睫毛に塗布できるようになるとともに、その製造工程における作業効率の向上をはかれるので製造コストの低減をも図ることができるという優れた効果を有する。
【実施例１】
【００１７】
図１乃至図３において示される１は、本願発明の実施例１である液体化粧料塗布容器である。該液体化粧料塗布容器１は、外側面に雄ネジ部４を螺設する開口部３を有し、その内部にマスカラ等の液体化粧料５を貯留すると共に、後述する塗布体１０ｂ、１１ｂの表面に付着した過剰なマスカラ等の液体化粧料５を掻き落とすためのしごき６を内装する塗布容器本体２と、該塗布容器本体２の開口部３の雄ネジ部４と螺合する雌ねじ部９を内周面に螺設する開口部８を有するとともに、金属線を捻回して形成される金属芯線１０ａ、１１ａと該金属芯線１０ａ、１１ａの形成と同時に形成される繊維束よりなる塗布体１０ｂ、１１ｂとからなる二本の液体化粧料塗布ブラシ１０、１１を一本の軸体１２を介して保持するキャップ７とから構成される。
なお、該軸体１２はその基部１２ａをキャップ７内に嵌合させることによってキャップ７と一体となっているものである。
【００１８】
そして、前記二本の液体化粧料塗布ブラシ１０、１１を保持してなる軸体１２は短軸部１３と長軸部１４とから構成され、該短軸部１３及び長軸部１４の各々先端内には液体化粧料塗布ブラシ１０、１１の金属芯線１０ａ、１１ａを挿嵌、固定する固定孔１３ａ、１４ａが穿設されている。従って、別体であるキャップ７と液体化粧料塗布ブラシ１０、１１とは軸体１２を構成する短軸部１３及び長軸部１４の先端内に穿設された固定孔１３ａ、１４ａ内へ液体化粧料塗布ブラシ１０、１１を形成する金属芯線１０ａ、１１ａを挿嵌させることにより固定され、一体となるものである。
【００１９】
更に、前記キャップ７に軸体１２を介して保持される二本の液体化粧料塗布ブラシ１０、１１において、各々の液体化粧料塗布ブラシ１０、１１の塗布体１０ｂ、１１ｂの先端を一致させるため、該塗布体１０ｂ、１１ｂの全長は短軸部１３では長く、長軸部１４では短くなっている。
また、軸体１２の短軸部１３に保持される液体化粧料塗布ブラシ１０の塗布体１０ｂのうち、少なくとも長軸部１４と干渉することとなる塗布体部分において、該長軸部１４と密接するように平面部１０ｃを金属芯線１０ａに沿って形成するものである。
そして、該二本の液体化粧料塗布ブラシ１０、１１の両塗布体１０ｂ、１１ｂでは、両塗布体１０ｂ、１１ｂが互いに密接できるように平面部１０ｃ、１１ｃが金属芯線１０ａ、１１ａに沿って形成されている。
なお、該軸体１２に固定される二本の液体化粧料塗布ブラシ１０、１１の塗布体１０ｂ、１１ｂを形成する繊維束の繊維における形質等が相違しており、例えば一方の長軸部１４に固定される液体化粧料塗布ブラシ１１の塗布体１１ｂでは一本の繊維が半径方向に放射状且つ螺旋状に配列されて繊維束を形成し、他方の短軸部１３に固定される液体化粧料塗布ブラシ１０の塗布体１０ｂでは三本の繊維が半径方向に放射状且つ螺旋状に配列されて繊維束を形成している。
【００２０】
本願発明の実施例１である液体化粧料塗布容器１を構成するキャップ７は以上の構成を具えるので、マスカラ等の液体化粧料５を塗布する際には次のようになるものである。
まず、一本の軸体１２に固定される二本の液体化粧料塗布ブラシ１０、１１のうち、特に軸体１２の短軸部１３に保持される液体化粧料塗布ブラシ１０の塗布体１０ｂには長軸部１４側に平面部１０ｃが形成されている。そのため短軸部１３に保持される液体化粧料塗布ブラシ１０の塗布体１０ａは長軸部１４と干渉しないので、該軸体１２において二本の液体化粧料塗布ブラシ１０、１１は湾曲せずに完全に並列に保持される。その上、両塗布体１０ｂ、１１ｂにおいては、平面部１０ｃ、１１ｃが互いに対向するように金属芯線１０ａ、１１ａに沿って形成されている。
その結果、該液体化粧料塗布ブラシ１０、１１は互いに隙間なく軸体１２にの保持されて塗布体１０ｂ、１１ｂでの外径は小さくなり、塗布容器本体２とキャップ７とを分離、結合させる際に該液体化粧料塗布ブラシ１０、１１は、塗布容器本体の径小化のためその開口部３が狭くなっていても簡易且つ確実に出し入れすることができるものである。
【００２１】
そして、塗布容器本体２から取り出した二本の液体化粧料塗布ブラシ１０、１１の塗布体１０ｂ、１１ｂでは、たとえ塗布容器本体２内に内装するしごき６により過剰な液体化粧料５が除去されるものであっても液体化粧料５はその表面に付着している。
しかしながら、軸体１２の短軸部１３と長軸部１４とに保持される二本の液体化粧料塗布ブラシ１０、１１の塗布体１０ｂ、１１ｂの全長が相違しているので、使用者は目的や用途に応じて適切な塗布体１０ｂ、１１ｂを簡易且つ確実に選択することができる。
【００２２】
さらに、軸体１２に固定される二本の液体化粧料塗布ブラシ１０、１１の塗布体１０ｂ、１１ｂにおいては、両塗布体が密接するように長軸部１４に保持される塗布体１１ｂの横断面形状と略同一形状の横断面形状を有する切り欠き部１０ｃを短軸部１３に保持される塗布体１０ｂに形成している。
そのため、両塗布体１０ｂ、１１ｂは互いに密接して塗布体１０ｂ、１１ｂ同士互いに絡んだり又は反発することはないものである。
その結果、製造工程では、例えば短軸部１３の液体化粧料塗布ブラシ１０の塗布体１０ｂが長軸部１４及び長軸部１４の液体化粧料塗布ブラシ１１の塗布体１１ｂと干渉することがないため、前記二本の液体化粧料塗布ブラシ１０、１１をキャップ７の軸体１２に対して円滑且つ確実に挿嵌、固定させることができるため作業効率の向上を図ることもできる。
【実施例２】
【００２３】
図４及び図５において示される７’は、本願発明の実施例２である液体化粧料塗布容器１’を構成するキャップである。ここで該液体化粧料塗布容器１’における塗布容器本体２’は、実施例１における塗布容器本体２と同様の構造であって、しかも該液体化粧料塗布容器１’を構成するキャップ７’も短軸部１３’と長軸部１４’とからなる軸体１２’を介して二本の液体化粧料塗布ブラシ１０’、１１’を保持し、軸体１２’に保持する二本の液体化粧料塗布ブラシ１０’、１１’において各々の塗布体１０ｂ’、１１ｂ’の先端を一致させている点でも実施例１のキャップ７と共通するものである。
なお、該軸体に固定される二本の液体化粧料塗布ブラシ１０’、１１’の塗布体１０ｂ’、１１ｂ’間でも実施例１と同様に互いに相違する形質等を有しているものである。
【００２４】
しかしながら、実施例１と実施例２においては、二本の液体化粧料塗布ブラシ１０、１１（１０’、１１’）の塗布体１０ｂ、１１ｂ（１０ｂ’、１１ｂ’）の構造が相違しているものである。即ち、軸体１２’の短軸部１３’に保持される液体化粧料塗布ブラシ１０’の塗布体１０ｂ’のうち、少なくとも長軸部１４’と干渉することとなる塗布体部分において、該長軸部１４’と密接するように長軸部１４’の横断面形状、即ち扇形形状の一部と合致する略三角形形状の横断面形状を有する係合凹溝１０ｃ’を金属芯線１０ａ’に沿って形成するものである。
さらに、該二本の液体化粧料塗布ブラシ１０’、１１’における両塗布体１０ｂ’、１１ｂ’では、長軸部１４’に保持される液体化粧料塗布ブラシ１１’の塗布体１１ｂ’における扇形形状の横断面形状の一部をなす係合突条１１ｃ’が、短軸部１３’に保持される液体化粧料塗布ブラシ１０’の塗布体１０ｂ’における該係合突条１１ｃ’の横断面形状の一部と合致する略三角形状の横断面形状を有する係合凹溝１０ｃ’に嵌合するものである。
【００２５】
本願発明の実施例２である液体化粧料塗布容器１’を構成するキャップ７’は以上の構成を具えるので、マスカラ等の液体化粧料５を塗布する際には次のようになるものである。
本願発明の実施例２である液体化粧料塗布容器１’を構成するキャップはに液体化粧料塗布ブラシは以上の構成を具えるので、マスカラ等の液体化粧料を塗布する際には次のようになるものである。
即ち、実施例１の液体化粧料塗布容器１を構成するキャップ７と同様に次のようになるものである。
すなわち、軸体１２’における短軸部１３’及び長軸部１４’に保持される二本の液体化粧料塗布ブラシ１０’、１１’は塗布体１０ｂ’、１１ｂ’同士、及び塗布体１０ｂ’と長軸部１４’とが干渉せず密接になるため、該液体化粧料塗布ブラシ１０’、１１’の塗布体１０ｂ’、１１ｂ’における外径は小さくなり、塗布容器本体２’とキャップ７’とを分離、結合させる際に該液体化粧料塗布ブラシ１０’、１１’は、塗布容器本体２’の径小化のためその開口部３’が狭くなっていても簡易且つ確実に出し入れすることができる。
そして、塗布容器本体２’から取り出した二本の液体化粧料塗布ブラシ１０’、１１’の塗布体１０ｂ’、１１ｂ’では、その全長が相違しているので、使用者は目的や用途に応じて適切な塗布体１０ｂ’、１１ｂ’を簡易且つ確実に選択することができる。
さらに、軸体１２’の短軸部１３’に保持される液体化粧料塗布ブラシ１０’の塗布体１０ｂ’のうち、少なくとも長軸部１４’と干渉することとなる塗布体部分において、該長軸部１４’と密接するように断面形状が長軸部１４’の横断面扇形形状と略同一形状である係合凹溝１０ｃ’を金属芯線１０に沿って形成するものである。
さらに、該二本の液体化粧料塗布ブラシ１０’、１１’における両塗布体１０ｂ’、１１ｂ’では、長軸部１４’に保持される液体化粧料塗布ブラシ１１’の塗布体１１ｂ’に形成される係合突条１１ｃ’は、短軸部１３’に保持される液体化粧料塗布ブラシ１０’の塗布体１０ｂ’に形成される該係合突条１１ｃ’の横断面形状である略三角形形状の横断面形状を有する係合凹溝１０ｃ’に嵌合しているので、互いに絡んだり又は反発することなく両塗布体１０ｂ’、１１ｂ’は互いに密接になるものである。従って、製造工程では、例えば短軸部１３’の液体化粧料塗布ブラシ１０’の塗布体１０ｂ’が長軸部１４’及び長軸部１４’の液体化粧料塗布ブラシ１１’の塗布体１１ｂ’と干渉することはなく、前記二本の液体化粧料塗布ブラシ１０’、１１’をキャップ７’の軸体１２’に対して円滑且つ確実に挿嵌、固定させることができるので製造工程における作業効率の向上を図ることもできるものである。
【００２６】
その上、本願発明の実施例２である液体化粧料塗布容器１’を構成するキャップ７’に保持される液体化粧料塗布ブラシ１０’、１１’のうち、長軸部１４’に保持される液体化粧料塗布ブラシ１１’における塗布体１１ｂ’を扇形柱形状とすることによりマスカラ等の液体化粧料５を集中的に塗布することができるものとなる。
【産業上の利用可能性】
【００２７】
用途、目的に応じて液体化粧料塗布ブラシを選択し液体化粧料等を塗布してなるものであるので、白髪染め等にも適用することができる。
【図面の簡単な説明】
【００２８】
【図１】本願発明の実施例１である液体化粧料塗布容器の全体断面図である。
【図２】（イ）本願発明の実施例１である液体化粧料塗布容器のキャップの正面図、（ロ）液体化粧料塗布ブラシにおける塗布体の正面図である。
【図３】本願発明の実施例１である液体化粧料塗布容器のキャップの分解状態と組立状態との変化を示す模式図である。
【図４】（イ）本願発明の実施例２である液体化粧料塗布容器のキャップの正面図、（ロ）液体化粧料塗布ブラシにおける塗布体の正面図である。
【図５】本願発明の実施例２である液体化粧料塗布容器のキャップの分解状態と組立状態との変化を示す模式図である。
【符号の説明】
【００２９】
１、１’  液体化粧料塗布容器  
２、２’  塗布容器本体
３、３’  開口部  
４  雄ネジ部
５  （マスカラ等の）液体化粧料
６  しごき
７、７’  キャップ
８、８’  開口部
９  雌ネジ部
１０、１０’  液体化粧料塗布ブラシ
１０ａ、１０ａ’  金属芯線
１０ｂ、１０ｂ’  塗布体’
１０ｃ  平面部
１０ｃ’  係合凹溝
１１、１１’  液体化粧料塗布ブラシ
１１ａ、１１ａ’  金属芯線
１１ｂ、１１ｂ’  塗布体
１１ｃ  平面部
１１ｃ’  係合突条
１２、１２’  軸体
１２ａ、１２ａ’  基部
１３、１３’  短軸部
１３ａ、１３ａ’  固定孔
１４、１４’  長軸部
１４ａ、１４ａ’  固定孔
【図１】
2010035854.tif 000003
【図２】
2010035854.tif 000004
【図３】
2010035854.tif 000005
【図４】
2010035854.tif 000006
【図５】
2010035854.tif 000007